(57)【特許請求の範囲】
【請求項１】
上面に開口を有する容器本体(２)と、当該開口の周囲にヒートシールされて同開口を塞ぐシート状蓋材(３)と、を備えた包装容器において、
シート状蓋材(３)が破断開封部(30)を備えており、当該破断開封部(30)は、
シート状蓋材の周縁の一部から外方に突出するタブ(31)と、
当該タブの両端近傍位置から内方へと延在する２本の破断線(32、33)と、
両破断線の内方端を結んで延在する易湾曲帯状領域(34)と、を備え、
易湾曲帯状領域(34)に、その延在方向に沿ってハーフカット折罫(34ａ)を形成し、
上記２本の破断線(32、33)は、内方へ向かって互いに平行に延在し、内方端(32ｂ、33ｂ)の近傍部分(32ａ、33ａ)が互いに近接する方向に延在していることを特徴とする、包装容器。
【請求項２】
上面に開口を有する容器本体(２)と、当該開口の周囲にヒートシールされて同開口を塞ぐシート状蓋材(３)と、を備えた包装容器において、
シート状蓋材(３)が破断開封部(30)を備えており、当該破断開封部(30)は、
シート状蓋材の周縁の一部から外方に突出するタブ(31)と、
当該タブの両端近傍位置から内方へと延在する２本の破断線(32、33)と、
両破断線の内方端を結んで延在する易湾曲帯状領域(34)と、を備え、
易湾曲帯状領域(34)に、その延在方向に沿ってハーフカット折罫(34ａ)を形成し、
上記２本の破断線(132、133、232、233)は、内方へ向かうにつれて徐々に接近するように延在し、内方端(132ｂ、133ｂ、232ｂ、233ｂ)の近傍部分(132ａ、133ａ、232ａ、233ａ)が互いに平行に延在していることを特徴とする、包装容器。
【発明の詳細な説明】
【０００１】
【発明の属する技術分野】
本発明は、カップラーメンその他のインスタント食品等に使用される包装容器に関する。
【０００２】
【従来の技術】
例えば図１に示したように、カップラーメンの容器に使用される蓋材50は、湯を注ぐ間に開口状態を良好に維持できることが好ましい。このため、通常は、蓋材50をアルミ層を含む積層構造として、その保形性を高めることが行なわれている。
【０００３】
しかしながら、蓋材がアルミ層を含むと以下のような不都合がある。
（１）最終製品としてのカップラーメンに対して、金属探知機を利用した異物混入検査を行なうことが不可能となる。これは、アルミ層が金属探知機に反応するからである。
（２）廃棄焼却の際に、アルミが焼却炉内に残り、焼却炉内壁等に付着する。
【０００４】
【発明が解決しようとする課題】
したがって、本発明が解決すべき技術的課題は、カップラーメン等を収容する包装容器であって、アルミニウム層を含まずかつ開口保形性の高い蓋材を備えたものを提供することである。
【０００５】
【課題を解決するための手段・作用・効果】
本発明は、上記課題を有効に解決するために創案されたものであって、以下の特徴を備えた包装容器を提供するものである。
【０００６】
本発明の包装容器は、「上面に開口を有する容器本体」と「当該開口の周囲にヒートシールされて同開口を塞ぐシート状蓋材」とを備えており、シート状蓋材には破断開封部を設けている。
【０００７】
当該破断開封部は、「シート状蓋材の周縁の一部から外方に突出するタブ」と「当該タブの両端近傍位置から内方へと延在する２本の破断線」と「両破断線の内方端を結んで延在する易湾曲帯状領域」とを備えている。易湾曲帯状領域には、その延在方向に沿ってハーフカット折罫を形成している。
【０００８】
上記構成の蓋材を備えた包装容器では、易湾曲帯状領域にハーフカット折罫が設けられているので、タブを摘んで破断開封部を破り開けると、易湾曲帯状領域に折目がついて開口状態が良好に維持される。したがって、保形性を維持するために当該蓋材にアルミ層を含ませる必要がなくなる。
【０００９】
本発明の包装容器においては、上記２本の破断線は、内方へ向かって互いに平行に延在し、内方端の近傍部分が互いに近接する方向に延在していることが好ましい。かかる構成を採用すれば、易湾曲帯状領域の面積が小さくなり、その結果、破断開封部の重量が小面積の易湾曲帯状領域に集中するので、開口状態における保形性をさらに高めることができる。
【００１０】
また、同様の効果を得るために、上記２本の破断線は、内方へ向かうにつれて徐々に接近するように延在し、内方端の近傍部分が互いに平行に延在しているものであってもよい。かかる構成を採用すれば、破断開封部の面積が大きなり、薬味等の内容物を取り出しやすくなるという利点もある。
【００１１】
【発明の実施の形態】
本発明の実施形態を添付の図面を参照して以下に詳細に説明する。図２および３は、破断開封部30を開封する前後における包装容器１の斜視図を示している。図３の状態で湯を注ぎ、再度蓋を閉じて、所定時間経過するとカップラーメンが出来上がる。
【００１２】
包装容器１は、上面に開口を有する容器本体２と、当該開口の周囲にヒートシールされて同開口を塞ぐシート状蓋材３と、を備えている。シート状蓋材３には、破断開封部30が形成されている。破断開封部30は、シート状蓋材３の周縁の一部から外方に突出するタブ31と、タブ31の両側近傍の位置からシート状蓋材３の内方へと平行に延在する２本の破断線32、33と、両破断線の内方端32ｂ、33ｂを結んで延在する易湾曲帯状領域34と、を備えている。
【００１３】
したがって、タブ31を摘んで引っ張ると、破断線32および33がその内方端32ｂ、33ｂまで破断し、図３に示したような開口状態となる。両破断線の内方端32ｂ、33ｂを結ぶ易湾曲帯状領域34において、シート状蓋材３の裏面または表面のいずれかには、易湾曲帯状領域34の延在方向に沿ってハーフカット折罫34ａ(図４参照)が形成されている。この折罫の存在により、易湾曲帯状領域34は、折畳状態における保形性を高めることができ、したがって、破断開封部30は、図３に示した開口状態を良好に維持することができる。
【００１４】
図２および図３から分かるように、本発明の包装容器においては、破断開封部30がシート状蓋材３の内方に形成されている。すなわち、湯を注ぐために一時的に開封される部分は、その大部分がシート状蓋材３の周縁ではなく内方側に位置する部分である。開封されるシート状蓋材周縁部は、タブ31周辺の最低限の部分に止めている。
【００１５】
このような構成を採用した結果、次のようなメリットを得ることができる。すなわち、タブ31を摘んで勢いよく開封した場合であっても、勢い余って蓋全体を不用意に容器本体２から引き剥がしてしまうということが防止される。また、破断開封部30を破り開けた場合でも、シート状蓋材３の周縁の大部分がヒートシールされたままであるので、湯を注いた後、再度蓋を閉じた際における麺の蒸し効率を高めることができる。なお、タブ31と対向する位置には開封用つまみ40が形成されており、このつまみ40をつかんで蓋材を容器本体２から引き剥がすことができる。
【００１６】
次に図４〜図６を参照しながら、蓋材の具体的構成例について説明する。図４では、図２および図３中に示した蓋材３を上面側から示している。破断線32、33はミシン目により構成されており、易湾曲帯状領域34では、その裏面側にハーフカット折罫34ａが形成されている。このハーフカット折罫は、裏面ではなく表面に形成することも可能である。しかし、ハーフカット折罫が表面側に存在すると、見栄えが良くない他、その部分から蓋材表面が破れたりすることが考えられるので、ハーフカット折罫は裏面側に設ける方が好ましい。
【００１７】
ハーフカット折罫34は、蓋材裏面側から同蓋材を貫通することのない所定深さの切込み線によって構成した折罫である。かかる折罫の存在により易湾曲帯状領域34は、その湾曲状態を良好に維持することが可能となる。図４では、ハーフカット折罫34ａを４本形成しているが、その数が特に限定されるものではなく、タブ31の近傍にまで渡って多数設けることも可能である。各ハーフカット折罫34ａ間の間隔は４mm程度である。
【００１８】
２本の破断線32、33は互いに平行に延在し、内方端32ｂ、33ｂの近傍部分32ａ、33ａが互いに近接するように傾斜している。かかる構成により、破断開封部30の開口状態をより一層良好に維持することが可能となるが、近傍部分32ａ、33ａを省略して、各破断線32、33を一直線状とすることも可能である。開口時における破断開封部30の保形性を良好なものとするために、平行に延在する破断線32、33の傾斜部分32ａ、33ａを含めた長さ(奥行き)Ｌは、55〜85mm程度とすることが好ましく、易湾曲帯状領域34の幅Ｗ１は、20〜40mm程度とすることが好ましい。また、両破断線32、33の間隔Ｗ２は、中の薬味袋を簡単に取り出せることができるように70mm程度の幅を確保することが好ましい。
【００１９】
図５は、蓋材の変形例103を示している。破断線132、133はミシン目で構成されており、シート状蓋材103の内方へ向かうにつれて、徐々に接近し、内方端132ｂ、133ｂまで延びている。内方端132ｂ、133ｂの近傍部分132ａ、133ａは互いに平行に延びている。破断線の平行部分132ａ、133ａの間の領域は、易湾曲帯状領域134とされおり、図示はしていないが図４の場合と同様のハーフカット折罫が蓋材103の裏面または表面のいずれかに形成される。易湾曲帯状領域134の幅Ｗ１は、上記と同様に良好な保形性を得るために20〜40mm程度とされる。破断開封部130の奥行Ｌは、薬味袋の取出し易さ等を考慮して100mm程度とすることが望ましい。
【００２０】
図６は、蓋材のさらなる変形例203を示している。破断線232、233は、それぞれミシン目部分232'、233'と切罫部232''、233''で構成されており、シート状蓋材203の内方へ向かうにつれて、徐々に接近し、内方端232ｂ、233ｂまで延びている。内方端232ｂ、233ｂの近傍部分232ａ、233ａは互いに平行に延びている。破断線の平行部分232ａ、233ａの間の領域は、易湾曲帯状領域234とされおり、図示はしていないが図４の場合と同様のハーフカット折罫が蓋材203の裏面または表面のいずれかに形成される。各破断線の切罫部232''、233''は、それぞれ、シート状蓋材203の裏表に形成した２種類のハーフカットで構成される。すなわち、図６は蓋材203を上面側から見た図であるが、切罫部232''、233''の実線部分は、裏面側に形成されたハーフカットであり、破線部分は表面側に形成されたハーフカットである。両ハーフカットは、連続的に延在する切込みで形成されている。表面側からハーフカットを形成することにより、蓋材開封時の開封状態が良好となる。
【００２１】
易湾曲帯状領域234の幅Ｗ１は、上記と同様に良好な保形性を得るために20〜40mm程度とされ、破断開封部230の奥行Ｌは、薬味袋の取出し易さ等を考慮して100mm程度とすることが望ましい。
【００２２】
本発明の包装容器は、図示した例に限定されるものではない。例えば、破断開封部の両側に延びる２本の破断線が、互いに異なる湾曲形状とされてもよい。
【００２３】
本発明の包装容器におけるシート状蓋材は、易湾曲帯状領域の存在により開口時における有効な保形性を有するので、その積層構造の一部にアルミ層を含む必要がなくなる。シート状蓋材自体の積層構造の一例を図７の断面図に示した。この積層構造は表側から順に、「紙層」、「遮光層」、「接着層」、「プラスチック基材層」、「ヒートシール性プラスチック層」の５層構造となっている。プラスチック基材層は、アルミ層に代わって、蓋材の芯としての役割を果たすものである。図７においては、裏面側に形成したハーフカットを示しているが、前述したように、ハーフカットは表面側に設けてもよい。
【図面の簡単な説明】
【図１】  従来のカップラーメン用包装容器を説明する概略斜視図である。
【図２】  本発明の一実施形態に係る包装容器を開封前の状態で示す概略斜視図である。
【図３】  図２の包装容器を開封後の状態で示す概略斜視図である。
【図４】  図２の包装容器の蓋材を取り出して示す平面図である。
【図５】  蓋材の変形例を示す平面図である。
【図６】  蓋材のさらなる変形例を示す平面図である。
【図７】  本発明の包装容器に係る蓋材の積層構造の一例を説明する断面図である。
【符号の説明】
１  包装容器
２  容器本体
３、103、203  シート状蓋材
30、130、230  破断開封部
31  タブ
32、132、232  破断線
33、133、233  破断線
34、134、234  易湾曲帯状領域
34ａ  ハーフカット折罫
40  開封用つまみ
【図１】
0004441088.tif 000002
【図２】
0004441088.tif 000003
【図３】
0004441088.tif 000004
【図４】
0004441088.tif 000005
【図５】
0004441088.tif 000006
【図６】
0004441088.tif 000007
【図７】
0004441088.tif 000008